(57)【要約】【課題】印刷出力履歴の管理方法が異なる画像処理装置が混在する場合においても、各ユーザーに適した集計結果を表示する印刷装置を提供する。【解決手段】この印刷装置は、１段階でのカラーの印刷ページ数と白黒の印刷ページ数を管理する印刷装置であって、管理装置から印刷ページ数の集計結果の表示に関する設定情報を受信する受信手段と、印刷ページ数の集計結果の表示を制御する表示手段と、受信した設定情報が、複数段階でのカラーにおける各段階の印刷ページ数を管理することができない印刷装置で複数段階でのカラーにおける各段階の印刷ページ数の集計結果を表示する設定を示すか否かを判定する判定手段と、を有する。そして、表示手段は、判定手段の判定結果に応じて、複数段階でのカラーにおける各段階の印刷ページ数の集計結果を表示する制御を行う。【選択図】図１２
2015193220.tif 000002
【特許請求の範囲】
【請求項１】
１段階でのカラーの印刷ページ数と白黒の印刷ページ数を管理する印刷装置であって、
管理装置から印刷ページ数の集計結果の表示に関する設定情報を受信する受信手段と、
前記印刷ページ数の集計結果の表示を制御する表示手段と、
前記受信した設定情報が、複数段階でのカラーにおける各段階の印刷ページ数を管理することができない印刷装置で前記複数段階でのカラーにおける各段階の印刷ページ数の集計結果を表示する設定を示すか否かを判定する判定手段と、
を有し、
前記表示手段は、前記判定手段の判定結果に応じて、前記複数段階でのカラーにおける各段階の印刷ページ数の集計結果を表示する制御を行う
ことを特徴とする印刷装置。
【請求項２】
前記表示手段は、前記判定手段により、当該印刷装置が複数段階でのカラーにおける各段階の印刷ページ数を管理することができない印刷装置であって、かつ前記設定情報が前記複数段階でのカラーにおける各段階の印刷ページ数の集計結果を表示する設定を示すと判定された場合、前記複数段階でのカラーにおける各段階の印刷ページ数の集計結果を表示する制御を行う
ことを特徴とする請求項１に記載の印刷装置。
【請求項３】
前記管理装置から前記印刷ページ数の集計結果を取得する取得手段
をさらに有し、
前記取得手段は、前記判定手段により前記設定情報が前記複数段階でのカラーにおける各段階の印刷ページ数を管理することができない印刷装置で前記複数段階でのカラーにおける各段階の印刷ページ数の集計結果を表示する設定を示すと判定された場合、前記管理装置から前記複数段階でのカラーにおける各段階の印刷ページ数の集計結果を取得する
ことを特徴とする請求項１または２に記載の印刷装置。
【請求項４】
前記表示手段は、前記複数段階でのカラーにおける各段階の印刷ページ数の集計結果を、全体の印刷ページ数に対する前記各段階における印刷ページ数の割合で表示する制御を行う
ことを特徴とする請求項１〜３のいずれか１項に記載の印刷装置。
【請求項５】
前記取得手段は、前記判定手段により前記設定情報が前記複数段階でのカラーにおける各段階の印刷ページ数を管理することができない印刷装置で前記複数段階でのカラーにおける各段階の印刷ページ数の集計結果を表示する設定を示さないと判定された場合、前記管理装置から前記１段階でのカラーの印刷ページ数の集計結果を取得する
ことを特徴とする請求項３に記載の印刷装置。
【請求項６】
前記表示手段は、前記印刷ページ数の集計結果に加えて、予め設定した各種集計結果に対応する目標値を表示する制御を行う
ことを特徴とする請求項１〜５のいずれか１項に記載の印刷装置。
【請求項７】
複数段階でのカラーにおける各段階の印刷ページ数と白黒の印刷ページ数を管理する印刷装置であって、
管理装置から印刷ページ数の集計結果の表示に関する設定情報を受信する受信手段と、
前記印刷ページ数の集計結果の表示を制御する表示手段と、
前記受信した設定情報が、前記複数段階でのカラーにおける各段階の印刷ページ数を管理する印刷装置で前記１段階でのカラーの印刷ページ数の集計結果を表示する設定を示すか否かを判定する判定手段と、
を有し、
前記表示手段は、前記判定手段の判定結果に応じて、前記１段階でのカラーの印刷ページ数の集計結果を表示する制御を行う
ことを特徴とする印刷装置。
【請求項８】
前記表示手段は、前記判定手段により、当該印刷装置が前記複数段階でのカラーにおける各段階の印刷ページ数を管理する印刷装置であって、かつ前記設定情報が前記１段階でのカラーの印刷ページ数の集計結果を表示する設定を示すと判定された場合、前記１段階でのカラーの印刷ページ数の集計結果を表示する制御を行う
ことを特徴とする請求項７に記載の印刷装置。
【請求項９】
前記管理装置から前記印刷ページ数の集計結果を取得する取得手段
をさらに有し、
前記取得手段は、前記判定手段により前記設定情報が前記複数段階でのカラーにおける各段階の印刷ページ数を管理する印刷装置で前記１段階でのカラーの印刷ページ数の集計結果を表示する設定を示すと判定された場合、前記管理装置から前記１段階でのカラーの印刷ページ数の集計結果を取得する
ことを特徴とする請求項７または８に記載の印刷装置。
【請求項１０】
前記取得手段は、前記判定手段により前記設定情報が前記複数段階でのカラーにおける各段階の印刷ページ数を管理する印刷装置で前記１段階でのカラーの印刷ページ数の集計結果を表示する設定を示さないと判定された場合、前記管理装置から前記複数段階でのカラーにおける各段階の印刷ページ数の集計結果を取得する
ことを特徴とする請求項９に記載の印刷装置。
【請求項１１】
前記表示手段は、前記複数段階でのカラーにおける各段階の印刷ページ数の集計結果を表示する設定が行われている際に、前記複数段階でのカラーにおける特定段階でのカラーで印刷を実行したジョブ履歴を表示する制御を行う
ことを特徴とする請求項１〜１０のいずれか１項に記載の印刷装置。
【請求項１２】
前記表示手段は、前記印刷装置に対する所定の権限を有するユーザーのログインに従い、前記集計結果の表示とは別に、当該ログインまでに実行された前記特定段階でのカラーで印刷を実行したジョブ履歴の通知のための画面を表示する制御を行う
ことを特徴とする請求項１１に記載の印刷装置。
【請求項１３】
前記表示手段は、前記印刷装置で前記複数段階でのカラーにおける特定段階でのカラーで印刷が実行されたことに応じて、前記特定段階でのカラーで印刷されたページ数を含む当該実行された印刷のジョブ履歴を表示する制御を行う
ことを特徴とする請求項７〜１０のいずれか１項に記載の印刷装置。
【請求項１４】
１段階でのカラーの印刷ページ数と白黒の印刷ページ数を管理する印刷装置の制御方法であって、
管理装置から印刷ページ数の集計結果の表示に関する設定情報を受信する受信工程と、
前記印刷ページ数の集計結果の表示を制御する表示工程と、
前記受信した設定情報が、複数段階でのカラーにおける各段階の印刷ページ数を管理することができない印刷装置で前記複数段階でのカラーにおける各段階の印刷ページ数の集計結果を表示する設定を示すか否かを判定する判定工程と、
を有し、
前記表示工程において、前記判定工程における判定結果に応じて、前記複数段階でのカラーにおける各段階の印刷ページ数の集計結果を表示する制御を行う
ことを特徴とする印刷装置の制御方法。
【請求項１５】
複数段階でのカラーにおける各段階の印刷ページ数と白黒の印刷ページ数を管理する印刷装置の制御方法であって、
管理装置から印刷ページ数の集計結果の表示に関する設定情報を受信する受信工程と、
前記印刷ページ数の集計結果の表示を制御する表示工程と、
前記受信した設定情報が、前記複数段階でのカラーにおける各段階の印刷ページ数を管理する印刷装置で前記１段階でのカラーの印刷ページ数の集計結果を表示する設定を示すか否かを判定する判定工程と、
を有し、
前記表示工程において、前記判定工程における判定結果に応じて、前記１段階でのカラーの印刷ページ数の集計結果を表示する制御を行う
ことを特徴とする印刷装置の制御方法。
【請求項１６】
請求項１〜６のいずれか１項に記載の手段としてコンピュータを機能させるためのプログラム。
【請求項１７】
請求項７〜１３のいずれか１項に記載の手段としてコンピュータを機能させるためのプログラム。
【発明の詳細な説明】
【技術分野】
【０００１】
本発明は、印刷装置、印刷装置の制御方法、およびプログラムに関する。
【背景技術】
【０００２】
近年、印刷装置などの画像処理装置において膨大な量の印刷物が出力されるようになった。この状況に伴い、環境問題やコスト意識の向上により、不必要なカラー印刷出力を抑えたいという要求が高まってきた。これに対して、画像処理装置は、印刷出力の種類として「モノクロ印刷」、「カラー印刷」の２種類に分類し印刷出力履歴の集計やレポートを行っていた。しかしながら、最近では、印刷ジョブ内の各ページのカラー比率をレポートする方法が開示されている（例えば、特許文献１参照）。
【先行技術文献】
【特許文献】
【０００３】
【特許文献１】特開２００９−２８２９４７号公報
【発明の概要】
【発明が解決しようとする課題】
【０００４】
しかしながら、オフィスには、種類の異なる複数の画像処理装置がネットワーク上に存在している。具体的には、印刷出力の種類として「モノクロ印刷」、「カラー印刷」の２種類に分類し印刷出力履歴の集計やレポートが可能な画像処理装置と、カラー比率を段階的に分類することが可能な画像処理装置が混在している。そのため、特許文献１に示す方法では、各ユーザーが、カラー印刷出力履歴の管理方法が異なる画像処理装置を利用する際に、常に、節約を意識させるような集計結果を提示することが困難である。
【０００５】
本発明は、上記課題を鑑みて、印刷出力履歴の管理方法が異なる画像処理装置が混在する場合においても、各ユーザーに適した集計結果を表示する印刷装置を提供することを目的とする。
【課題を解決するための手段】
【０００６】
上記課題を解決するために、本発明の一実施形態に係る印刷装置は、１段階でのカラーの印刷ページ数と白黒の印刷ページ数を管理する印刷装置であって、管理装置から印刷ページ数の集計結果の表示に関する設定情報を受信する受信手段と、前記印刷ページ数の集計結果の表示を制御する表示手段と、前記受信した設定情報が、複数段階でのカラーにおける各段階の印刷ページ数を管理することができない印刷装置で前記複数段階でのカラーにおける各段階の印刷ページ数の集計結果を表示する設定を示すか否かを判定する判定手段と、を有し、前記表示手段は、前記判定手段の判定結果に応じて、前記複数段階でのカラーにおける各段階の印刷ページ数の集計結果を表示する制御を行うことを特徴とする。
【発明の効果】
【０００７】
本発明によれば、印刷出力履歴の管理方法が異なる画像処理装置が混在する場合においても、各ユーザーに適した、常に節約を意識させるような集計結果を表示する印刷装置を提供することができる。
【図面の簡単な説明】
【０００８】
【図１】画像処理装置のハードウェア構成を示すブロック図である。
【図２】画像処理装置のソフトウェア構成を示すモジュール構成図である。
【図３】画像処理装置の操作部の一例を示す図である。
【図４】画像処理装置のログイン画面の表示の一例を示す図である。
【図５】画像処理装置のログイン画面の表示の一例を示す図である。
【図６】画像処理装置の設定画面の表示の一例を示す図である。
【図７】画像処理装置の集計画面の表示の一例を示す図である。
【図８】画像処理装置の集計画面の表示の一例を示す図である。
【図９】本発明の一実施形態に係るネットワーク構成の一例を示す図である。
【図１０】管理装置等のハードウェア構成を示すブロック図である。
【図１１】管理装置等のソフトウェア構成を示すブロック図である。
【図１２】画像処理装置の設定変更の処理を示すフローチャートである。
【図１３】管理装置で保持されるジョブ履歴情報のテーブルの一例を示す表である。
【図１４】管理装置で保持されるユーザー集計テーブルの一例を示す表である。
【図１５】管理装置で保持される部門ＩＤ集計テーブルの一例を示す表である。
【図１６】集計結果を表示する処理を示すフローチャートである。
【図１７】カラー印刷のジョブ履歴を表示する処理を示すフローチャートである。
【図１８】カラー印刷のジョブ一覧画面の表示の一例を示す図である。
【図１９】印刷直後にジョブ履歴を表示する処理を示すフローチャートである。
【図２０】印刷直後のジョブ一覧画面の表示の一例を示す図である。
【発明を実施するための形態】
【０００９】
以下、本発明を実施するための形態について図面などを参照して説明する。
【００１０】
まず、本実施形態に係る画像処理装置について、図１を参照して説明する。図１は、画像処理装置の一例であるＭＦＰ１００のハードウェア構成を示すブロック図である。ＭＦＰ１００は、複写、印刷、スキャンなど複数の機能を備えた装置である。なお、本実施形態において、ＭＦＰ１００は、印刷機能、表示機能などを有するプリンタ（印刷装置）や複合機であってよい。
【００１１】
図１において、コントローラ部１０５は、ＭＦＰ１００のデバイス全体を制御する。コントローラ部１０５の内部構成として、ＣＰＵ１０１は、中央処理装置であり、このコントローラ部１０５の制御および演算処理等を行う。ＲＯＭ１０２は、読み出し専用メモリであり、システム起動プログラム等の記憶領域である。ＲＡＭ１０３は、ランダムアクセスメモリであり、使用制限のないデータ記憶領域である。ＨＤ部１０４は、ハードディスクあるいはＳＲＡＭなど不揮発性記憶装置である。ＲＡＭ１０３は、オペレーティングシステムや通信制御およびエンジン制御などのプログラムがロードされ、実行されたり、データが記憶されたりする領域である。スキャナ１０６は、画像読み取り動作をする。プリンタ１０７は、コントローラ部１０５の制御により印刷動作を行う。ＵＩ部１０８は、ユーザーからの指示を受け付けつける操作部、または、各種情報の表示を行う。通信部１０９は、ネットワーク通信制御を行うものであり、他の画像処理装置やコンピュータとの通信が可能である。システムバス１１０は、上述の構成要素間のデータの通路である。
【００１２】
図２は本発明のＭＦＰ１００のソフトウェアなどのモジュール構成図である。オペレーティングシステム（ＯＳ）２０１は、ＭＦＰ１００全体の資源を管理／制御する。ＡＰＩ−１（２０２）は、ＯＳ２０１上で動作するアプリケーションのためのインタフェースである。アプリケーションは２０８、ＡＰＩ−１（２０２）を通じて、ＭＦＰ１００上のリソースにアクセスしたり、ＣＰＵ１０１でコマンドを実行したりすることができる。コントローラ制御部２０３は、ＯＳ２０１上で動作し、スキャナ１０６、プリンタ１０７、操作部１０８などを制御する。
【００１３】
ジョブ履歴管理部２０４は、ＭＦＰ１００で実行されたコピー、プリント、スキャナ、およびＦＡＸなどのジョブの履歴を管理する。管理装置からの要求に応じて、ジョブ履歴を送信可能とする。仮想マシン２０５は、特定のアプリケーションを実行するために最適な実行環境であり、例えば、Ｊａｖａ（登録商標）の仮想マシンなどにより実現される。ＡＰＩ−２（２０６）は、仮想マシン２０５上で動作するアプリケーションが、コントローラ制御部２０３、ジョブ履歴管理部２０４、ＡＰＩ−１（２０２）などを利用するためのインタフェースである。アプリケーション管理アプリケーション２０７は、仮想マシン２０５上で動作するアプリケーションを管理する。後述するアプリケーションのダウンロード、アップロード、消去、有効無効化などの制御を行う。
【００１４】
アプリケーション２０８は、仮想マシン２０５上で動作するアプリケーションである。本実施形態において、ＭＦＰ１００に、適宜、任意の機能を有するアプリケーションを任意の数だけインストールし、動作させることが可能である。ここで記載されたアプリケーションは、後述するような、画像処理、印刷による出力枚数などの集計やその集計結果などの表示を行うアプリケーション（集計機能として動作）が含まれる。ここで、各アプリケーションは、対応するプログラムがＲＯＭ１０２あるいはＨＤ部１０４に記憶され、ＭＦＰ１００起動時にＲＡＭ１０３にロードされ、実行されることでその機能を実現する。
【００１５】
図３は、ＵＩ部１０８が提供するユーザーインタフェースの一例である。キー入力部３００は、ハードキーによりユーザー操作を受付可能である。ＯＮ／ＯＦＦボタン３０１は、電源スイッチである。節電キー３０２は、本ボタンが押されると節電モードに移行する。節電モードとは、一部の部品への電源供給を停止することで機器全体の電力消費を抑える状態のことを示す。カウンタ確認キー３０３は、このボタンが押されるとタッチパネル３１２に課金カウンタの値が表示される。
【００１６】
タッチパネル３１２には、後述するプリントやコピーなどの集計結果を表示する。スタートキー３０４は、コピー／印刷／スキャン／送信などのＭＦＰ１００が提供する処理の開始を指示する。ストップキー３０５は、スタートキー３０４で開始した処理を停止する。テンキー３０６は、数値情報を入力する。ＩＤキー３０７は、認証情報の入力を行うことを指示する。クリアキー３０８は、テンキー３０６によって入力された情報を解除する。リセットキー３０９は、ユーザーによって処理対象のジョブに指示されたすべてのパラメータを解除する。ヘルプキー３１０は、操作方法が不明なときにユーザーが押し、タッチパネル３１２に操作の助けとなる情報を表示する。ユーザーモードキー３１１は、各種設定を開始するためのキーである。タッチパネル３１２は表示機能を備えると共に、タッチパネル機能を備えており、表示領域が押されたか否かを検知することにより、操作者（ユーザー）からの入力を受け付ける。
【００１７】
図４および５は、ＭＦＰ１００のタッチパネル３１２上に表示される画面の一例であり、ユーザー情報（部門ＩＤやユーザーＩＤなど）を用いたログイン画面の一例である。何れのログイン画面表示によりログイン制御を行うかはユーザーにより任意に設定することができる。
【００１８】
図４において、部門認証画面４００は、部門ごとの認証を行う画面である。ＭＦＰ１００は、起動後に本画面を表示して、部門ごとのログインを制御する。部門ＩＤ入力テキストボックス４０１および暗号番号入力テキストボックス４０２は、キー入力部３００により任意の文字列が入力される。部門ＩＤおよび暗証番号の入力後にＩＤキー３０７が押されると、入力された部門ＩＤおよび暗証番号により照合処理が行われ、正しい部門ＩＤおよび暗証番号であることが確認された後に、図７で後述する集計画面７００が表示される。正しい部門ＩＤおよび暗証番号でない場合、部門ＩＤ入力テキストボックス４０１および暗号番号入力テキストボックス４０２を空にして（すなわち、初期状態にして）部門認証画面４００を表示させる。
【００１９】
図５において、ユーザー認証画面５００は、ユーザーごとの認証を行う画面である。ＭＦＰ１００は起動後に本画面を表示して、ユーザーごとのログインを制御する。ユーザーＩＤ入力テキストボックス５０１、暗号番号入力テキストボックス５０２は、キー入力部３００により任意の文字列が入力される。ユーザーＩＤおよび暗証番号入力後にログインキー５０４が押されると、入力されたユーザーＩＤおよび暗証番号により照合処理が行われ、正しいユーザーＩＤおよび暗証番号であることが確認されれば集計画面７００を表示する。正しくなければ、ユーザーＩＤ入力テキストボックス５０１および暗号番号入力テキストボックス５０２を空にして（すなわち、初期状態にして）ユーザー認証画面５００を表示させる。ログイン先選択ボタン５０３は、ログイン時の認証をどこで行うかを設定することができる。本実施形態では、ＭＦＰ１００自身で行うか、認証サーバー９０３で行うかの選択が可能である。
【００２０】
図６は、クライアントコンピューター９０３上で動作するアプリケーションのＧＵＩ（Ｇｒａｐｈｉｃａｌ  Ｕｓｅｒ  Ｉｎｔｅｒｆａｃｅ）の一例を示す図である。このアプリケーションは、ＨＤ部１０４に記憶、格納されており、ＲＡＭ１００３へロードされ、実行される。また、このアプリケーションは、ネットワーク９１０を介して複数のＭＦＰ１００上で動作するアプリケーション２０８の設定を変更するように動作する。
【００２１】
図６（Ａ）において、ＧＵＩ６００は、アプリケーションのＧＵＩの一部を示しており、チェックボックス６０１は、ＭＦＰ１００のタッチパネル３１２上に、後述の図７や図８で示す集計画面の表示可否を設定するチェックボックスである。チェックボックス６０２は、ネットワーク９１０上の複数台のＭＦＰ１００に対してログインしているユーザー（あるいは部門）の集計結果を表示するように切り替えた際の表示方法を示す設定である。具体的には、チェックボックス６０２は、段階別のカラーページの集計機能を持たないＭＦＰ１００（旧デバイス）のタッチパネル３１２上に段階別のカラーページの集計機能を有するＭＦＰ１００（新デバイス）のみの集計結果を表示可能とする設定する。チェックボックス６０３は、ネットワーク９１０上に新デバイスと旧デバイスが混在する場合において、集計結果の表示形式を図７に示すように段階別のカラーページの集計結果を表示しない形式に合わせるように設定するチェックボックスである。ボタン６０４は、チェックボックス６０１〜６０３の設定を確定し、各ＭＦＰ１００に設定を配信するためのボタンであり、ボタン６０５は、設定をキャンセルするためのボタンである。
【００２２】
図６（Ｂ）において、ＧＵＩ６１０は、アプリケーションのＧＵＩの一部を示しており、ＭＦＰ１００の各種集計結果に対応する目標値を設定することができる。これは、目標値に対する実績をＭＦＰ１００のタッチパネル３１２上に表示することにより、無駄な利用を抑えるように啓蒙する効果がある。項目６１１は、目標値を設定する項目を示しており、チェックボックスを選択することにより、エディットボックス６１２に目標値の入力が可能となる。設定項目によりページ数、枚数、パーセンテージを目標値として設定することが可能である。ボタン６１３は、項目６１１およびエディットボックス６１２の設定を確定し、各ＭＦＰ１００に設定を配信するためのボタンであり、ボタン６１４は、設定をキャンセルするためのボタンである。上記の目標値を後述の図７や図８に示す集計結果に加えて一緒に表示させることで、節約を意識させることができる。
【００２３】
図７は、ログイン後にタッチパネル３１２上に表示される集計画面の一例を示す図である。コンボボックス７０１は、表示する集計結果の対象を切り替えるためのコンボボックスである。設定項目の値が変更されると、ログインしているユーザー（あるいは部門）に関する集計結果を表示するか、このＭＦＰ１００を使用している全ユーザーの集計結果を表示するかを切り替える。さらに、ネットワーク９１０上の全てのＭＦＰ１００に対するログインしているユーザー（あるいは部門）の集計結果を管理装置９０１から取得して、表示するように切り替えることが可能である。また、図６に示す設定により、段階別のカラーページの集計機能を有するデバイスのみの集計結果を表示するように切り替えることが可能である。この画面は、前述したログイン画面（図４、図５）で取得したユーザーＩＤまたは部門ＩＤに基づく集計結果の表示が行われる。これによって、何らかの処理を行うログインしたユーザーに応じた、適切なコスト意識を常に持たせることが可能となる。
【００２４】
集計期間７１０は、コピー、プリント、スキャナ、およびＦＡＸなどのジョブ情報の集計期間を表示する。本実施形態では、コピー、プリントの集計期間を表示している。カラー印刷集計結果７０２は、集計期間７１０で表示される期間における、カラー印刷が行われた論理ページ（カラーページ）の集計結果を表示する。本実施形態では、プリント、コピー、ＦＡＸ受信、レポートおよびボックスプリントなどのカラーで出力された論理ページ数の合算した結果を集計結果として表示を行う。
【００２５】
白黒印刷集計結果７０３は、集計期間７１０で表示される期間における、白黒（モノクロ）印刷が行われた論理ページの集計結果を表示する。本実施形態では、プリント、コピー、ＦＡＸ受信、レポートおよびボックスプリントなどの白黒（モノクロ）で出力された論理ページ数の合算した結果を集計結果として表示する。出力枚数７０４は、集計期間７１０で表示される期間における、出力された用紙の枚数（物理枚数）の総数を表示する。カラー比率７０５は、集計期間７１０で表示される期間における、出力された総論理ページ数に占めるカラーページの割合であるカラー率を表示する。本実施形態では、［カラー率＝カラーページ数÷総論理ページ数］で計算している。両面比率７０６は、集計期間７１０で表示される期間における、両面で出力された出力枚数を総出力枚数で割った値を表示する。具体的には、［両面比率＝両面で出力された枚数÷総出力枚数］で計算している。ページ集約比率７０７は、集計期間７１０で表示される期間における、Ｎｉｎ１（２ｉｎ１、４ｉｎ１など）の集約印刷で印刷されたページ数の、総ページ数に対する割合を示す。本実施形態では、［ページ集約比率＝Ｎｉｎ１設定されたページ数÷総ページ数］で計算している。なお、両面印刷および集約印刷の両方によって、節約された出力枚数をユーザーに認識させるための節約情報を画面上に表示してもよい。この場合は、総出力枚数を総論理ページ数で割ればよい。
【００２６】
また、本実施形態では、集計結果および割合を数値で表示しているが、棒グラフや円グラフ等のグラフ形式、或いは表形式で画面上に表示してもよい。前回までのコピー／プリント結果ボタン７０８を選択すると、集計期間７１０に表示されている期間以前の期間においての集計結果を表示する。
【００２７】
図８は、ログイン後にタッチパネル３１２上に表示される集計画面の一例である。コンボボックス８０１は、表示する集計結果の対象を切り替えるためのコンボボックスである。集計期間８０８は、コピー、プリント、スキャナ、およびＦＡＸなどのジョブ情報の集計期間を表示する。出力枚数８０２は、集計期間８０８で表示される期間における、出力された用紙の枚数（物理枚数）の総数を表示する。両面比率８０３は、集計期間８０８で表示される期間における、両面で出力された出力枚数を総出力枚数で割った値を表示する。ページ集約比率８０４は、集計期間８０８で表示される期間における、Ｎｉｎ１（２ｉｎ１、４ｉｎ１など）の集約印刷で印刷されたページ数の、総ページ数に対する割合を示す。前回までのコピー／プリント結果ボタン８０７を選択すると、集計期間８０８に表示されている期間以前の期間においての集計結果を表示する。
【００２８】
グラフ８０５は、集計期間８０８で表示される期間における、印刷が行われた論理ページに占めるカラーの割合により段階別（ハイカラー、ミッドカラー、ローカラー）に集計した結果と、白黒（モノクロ）印刷が行われた論理ページの集計結果をグラフである。本実施形態では、プリント、コピー、ＦＡＸ受信、レポートおよびボックスプリントなどで出力された論理ページ数の合算した結果を集計結果として表示を行う。凡例８０６は、グラフの凡例を示す。
【００２９】
なお、以降の説明において、段階別のカラーページの集計機能を持たない（１段階でのカラーの印刷ページ数と白黒の印刷ページ数を管理する）ＭＦＰの一例を、旧仕様のＭＦＰ（「旧デバイス」と呼ぶ）とする。また、段階別のカラーページの集計機能を有する（複数段階でのカラーにおける各段階の印刷ページ数と白黒の印刷ページ数を管理する）ＭＦＰの一例を、新仕様のＭＦＰ（「新デバイス」と呼ぶ）とする。
【００３０】
図９は、本実施形態に係るネットワーク構成を示す。システムバス９１０上にはジョブ情報を管理する管理装置９０１と認証サーバー９０２とクライアントコンピューター９０３、複数のＭＦＰ１００が配置されている。管理装置９０１は、複数のＭＦＰ１００からコピー、プリント、スキャナ、およびＦＡＸなどの処理の履歴（ジョブログ情報）を取得する。認証サーバー９０２は、ＭＦＰ１００が外部サーバーにより認証処理を行う際に、認証情報（ＩＤおよびパスワード）の送受信が行われる。クライアントコンピューター９０３は、複数のＭＦＰ１００のアプリケーション２０８に対して設定情報を配信する。
【００３１】
図１０は、管理装置９０１、認証サーバー９０２、クライアントコンピューター９０３となる情報処理装置のハードウェアのブロック図である。ＣＰＵ１００１は、中央処理装置であり、情報処理装置全体の制御および演算処理等を行う。ＲＯＭ１００２は、読み出し専用メモリであり、システム起動プログラムの情報等の記憶領域である。ＲＡＭ１００３は、ランダムアクセスメモリであり、使用制限のないデータ記憶領域であり、ＯＳ、アプリケーション、デバイスドライバおよび通信制御などのプログラムがロードされ、実行される領域である。ＫＢＣ１００４は、キーボード制御部であり、キーボードから入力された入力データを受け取りＣＰＵへ伝達する。ＣＲＴ１００５は、ディスプレイ制御部であり、ディスプレイ装置への表示制御を行う。ＨＤ部１００６は、ＨＤ（ハードディスク）装置で構成する外部記憶装置であり、プログラムおよびデータを記憶、格納しておき、実行時に必要に応じて参照またはＲＡＭ１００３へロードする。なお、外部記憶装置は、例えば、ＳＲＡＭなどの不揮発性記憶装置であってよい。通信部１００７は、ネットワーク通信制御を行い、ネットワークに接続された他の情報処理装置や周辺機器との通信が可能である。システムバス１００８は、上述の構成要素間のデータの通路となる。
【００３２】
図１１は、管理装置９０１、認証サーバー９０２、クライアントコンピューター９０３となる情報処理装置のソフトウェアのブロック図である。ＵＩ制御部１１０１は、通信部１００７を介して、不図示のホストコンピュータからの要求に応じて管理装置９０１の設定画面情報を送信、設定情報を受信する。ジョブ履歴収集部１１０３は、通信部１００７を介して複数の画像形成装置のジョブ履歴管理部２０４と通信し、コピー、プリント、スキャナ、およびＦＡＸなどのジョブ履歴を収集し、保管する。集計処理部１１０２は、ジョブ履歴収集部１１０３が収集したジョブ履歴を参照し、ユーザーＩＤごと、部門ＩＤごとの集計を行う。カラーページ、モノクロページ、出力枚数、両面で出力された出力枚数、Ｎｉｎ１（２ｉｎ１、４ｉｎ１など）の集約印刷で印刷されたページ数、ハイカラー、ミッドカラー、ローカラーのページ数等の集計処理を行う。
【００３３】
図１２は、クライアントコンピューター９０３が、複数のＭＦＰ１００上で動作するアプリケーション２０８に対して、設定を変更する処理内容を示すフローチャートである。また、設定情報を受信したＭＦＰ１００が、設定情報に応じてアプリケーション２０８の設定を変更する処理内容を示すフローチャートも併せて説明する。まず、クライアントコンピューター９０３は、ステップＳ１２０１において、ＨＤ部１００６で保持している複数のＭＦＰ１００の設定情報を参照する。次に、ステップＳ１２０２において、クライアントコンピューター９０３は、ＨＤ部１００６で保持している複数のＭＦＰ１００の設定情報の変更を受け付ける。なお、設定変更は、図６に示すＧＵＩ６００およびＧＵＩ６１０を利用して行われる。次に、ステップＳ１２０３において、クライアントコンピューター９０３は、設定が変更されたＭＦＰ１００で未処理のものが存在する場合、ステップＳ１２０３の処理を繰り返す。そして、ステップＳ１２０４において、ＭＦＰ１００へネットワーク９１０を介して、変更した設定情報を送信する。
【００３４】
次に、ＭＦＰ１００上で動作するアプリケーション２０８の処理について説明する。なお、この処理では、図６（Ａ）に示すチェックボックス６０２または６０３が選択されているか否かの判定結果に応じてタッチパネル３１２に表示させる集計結果の表示の制御を行う。
【００３５】
まず、ステップＳ１２１０において、ＭＦＰ１００上で動作するアプリケーション２０８は、クライアントコンピューター９０３上で動作するアプリケーションより、設定情報を受信する。次に、ステップＳ１２１１において、アプリケーション２０８は、図６に示すチェックボックス６０２が選択されているか否かを判定する。すなわち、「段階別のカラーページの集計機能を持たないデバイスにて、段階別のカラーページの集計機能を有するデバイスのみの集計結果を表示可能とする」か否かを判定する。チェックボックス６０２が選択されていない場合（Ｎｏ）、ステップＳ１２１４の処理へ進む。一方、チェックボックス６０２が選択されている場合（Ｙｅｓ）、ステップＳ１２１２において、設定情報を受信したＭＦＰ１００のアプリケーション２０８は、段階別のカラーページの集計機能を持たないＭＦＰ１００（旧デバイス）であるか否かを判定する。段階別のカラーページの集計機能を有するＭＦＰ１００（新デバイス）の場合（Ｎｏ）、処理を終了する。一方、段階別のカラーページの集計機能を持たないＭＦＰ１００（旧デバイス）の場合（Ｙｅｓ）、ステップＳ１２１３に進む。そして、ステップＳ１２１３おいて、アプリケーション２０８は、段階別のカラーページの集計機能を有するＭＦＰ１００（新デバイス）の段階別カラーの集計結果をタッチパネル３１２に表示可能とする。
【００３６】
次に、ステップＳ１２１４において、アプリケーション２０８は、図６に示すチェックボックス６０３が選択されているか否かを判定する。すなわち、「段階別のカラーページの集計機能を有するデバイスと持たないデバイスが混在する場合に、段階別のカラーページの集計結果を表示しない形式に合わせる」か否かを判定する。チェックボックス６０３が選択されていない場合（Ｎｏ）、処理を終了する。一方、チェックボックス６０３が選択されている場合（Ｙｅｓ）、ステップＳ１２１５において、設定情報を受信したＭＦＰ１００のアプリケーション２０８は、段階別のカラーページの集計機能を有するＭＦＰ１００（新デバイス）であるか否かを判定する。段階別のカラーページの集計機能を持たないＭＦＰ１００（旧デバイス）の場合（Ｎｏ）、処理を終了する。段階別のカラーページの集計機能を有するＭＦＰ１００（新デバイス）の場合（Ｙｅｓ）、ステップＳ１２１６において、アプリケーション２０８は、１段階のカラーの集計結果をタッチパネル３１２に表示可能とする。
【００３７】
＜ジョブ履歴情報テーブル＞
図１３は、ジョブ履歴収集部１１０３で保持されるジョブ履歴情報のテーブルを示す表である。図１３において、ジョブ履歴ＩＤ１３０１は、ジョブ履歴をシステム内で一意に識別するＩＤである。複合機ＩＤ１３０２は、複合機を識別する情報であり、例えば、ＭＡＣアドレスやＩＰアドレスを使用してもよい。ジョブのタイプ１３０３は、ホストからの印刷であるプリント、コピー、スキャン、複合機内に保存された文書を印刷するボックスプリントなどであってよい。開始時刻１３０４は、ジョブの開始時刻である。終了時刻１３０５は、ジョブの終了時刻である。カラーページ数１３０６は、該当ジョブによりカラー印刷されたページ数が記録される。白黒ページ数１３０７は、該当ジョブにより白黒印刷されたページ数が記録される。出力枚数１３０８は、該当ジョブにより印刷された用紙枚数が記録される。両面枚数１３０９は、該当ジョブにより両面で印刷された用紙枚数が記録される。２ｉｎ１ページ数１３１０は、該当ジョブにより２ｉｎ１で印刷されたページ数が記録される。４ｉｎ１ページ数１３１１は、該当ジョブにより４ｉｎ１で印刷されたページ数が記録される。ハイカラー１３１２、ミッドカラー１３１３、ローカラー１３１４は、１ページにおけるカラー印刷範囲の割合によって、分類するページ数であり、割合の多い順にハイカラー、ミッドカラー、ローカラーの３段階に分類されページ数が記録される。ユーザー名１３１５は、各行がどのユーザーのジョブ履歴であるかを示す。部門ＩＤ１３１６は、各行がどの部門ＩＤのジョブ履歴であるかを示す。これらの情報により、誰が、どのようなジョブをどの時刻に開始して終了したかというジョブ履歴情報が記録される。
【００３８】
例えば、ジョブ履歴１３２１は、ユーザー名「ｙａｍａｄａ」がコピージョブを複合機Ａで、２０１３／０８／２５  １４：２５に開始し、２０１３／０８／２５  １４：４０に終了したことを示す。また、このジョブ履歴１３２１では、１２ページのカラー印刷、２ページの白黒印刷が行われ、出力枚数が７枚であって、両面枚数が７枚出力されたことを示す。さらに、１２ページのカラー印刷のうち、ハイカラーページ数が４ページ、ミッドカラーページ数が６ページ、ローカラーページ数が２ページであることを示している。ジョブ履歴１３２２は、ユーザーではなく、部門ＩＤ１３１６が「１２３」の部門のジョブ履歴であることを示す。例えば、ジョブ履歴１３２３は、ハイカラーページ数、ミッドカラーページ数、ローカラーページ数が取得できていないことを示す。このことから、複合機Ｃが旧デバイスであることを示す。ジョブ履歴１３２４は、ユーザー名「ｉｔｏ」がコピージョブを複合機Ｄで、カラー印刷のみを行ったことを示す。なお、このジョブ履歴情報テーブルは、ジョブ種毎に作成されるように構成してもよい。
【００３９】
＜集計テーブル＞
図１４は、集計処理部１１０２で保持されるユーザー集計テーブルを示す表である。また、図１５は、集計処理部１１０２で保持される部門ＩＤ集計テーブルを示す表である。集計処理部１１０２は、予め設定された集計期間の設定に従って集計処理を行い、その集計結果を、図１４、図１５に示す集計テーブルに格納する。
【００４０】
図１４、図１５は、ユーザー名１４０２と部門ＩＤ１５０２が異なるだけで、その他が共通部分となるので、一緒に説明する。集計期間１４０１、１５０１は、予め設定された集計期間で集計を行い、その開始日と終了日の集計期間を示す。集計期間１４０１は、図７の集計期間７１０や図８の集計期間８０８に表示される。ユーザー名１４０２は、各行がどのユーザーの集計結果であるかを示す。集計処理部１１０２は、ジョブ履歴のユーザー名と一致する行に、ジョブで実行された各ページ数、枚数を加算する。集計結果テーブルに一致する行がなければ、行を追加する。部門ＩＤ１５０２は、各行がどの部門ＩＤの集計結果であるかを示す。集計処理部１１０２は、ジョブ履歴の部門ＩＤと一致する行に、ジョブで実行された各ページ数、枚数を加算する。集計結果テーブルに一致する行がなければ、行を追加する。
【００４１】
カラーページ数１４０３、１５０３は、当該ユーザーまたは部門ＩＤで該当集計期間に印刷されたカラーページ数の合計を示す。白黒ページ数１４０４、１５０４は、当該ユーザーまたは部門ＩＤで該当集計期間に印刷された白黒ページ数の合計を示す。出力枚数１４０５、１５０５は、当該ユーザーまたは部門ＩＤで該当集計期間に印刷された出力枚数の合計を示す。両面枚数１４０６、１５０６は、当該ユーザーまたは部門ＩＤで該当集計期間に印刷された両面枚数の合計を示す。２ｉｎ１ページ数１４０７、１５０７は、当該ユーザーまたは部門ＩＤで該当集計期間に２ｉｎ１で印刷されたページ数の合計を示す。４ｉｎ１ページ数１４０８、１５０８は、当該ユーザーまたは部門ＩＤで該当集計期間に４ｉｎ１で印刷されたページ数の合計を示す。ハイカラー１４０９、１５０９、ミッドカラー１４１０、１５１０、ローカラー１４１１、１５１１は、１ページにおけるカラー印刷範囲の割合によって分類するページ数である。当該ユーザーまたは部門ＩＤで該当集計期間にハイカラー、ミッドカラー、ローカラーのいずれかで印刷されたページ数の合計を示す。
【００４２】
例えば、集計結果１４２１は、ユーザー名「ｙａｍａｄａ」が集計期間１４０１に示す期間に行った印刷の集計結果を示す。同様に、集計結果１４２２〜集計結果１４２５は、各ユーザーが集計期間１４０１に示す期間に行った印刷の集計結果を示す。また、図１５の集計結果１５２１〜１５２３も、各部門が集計期間１５０１に示す期間に行った印刷の集計結果を示す。
【００４３】
＜タッチパネルへの集計結果表示処理＞
図１６は、ＭＦＰ１００上で動作するアプリケーション２０８が、タッチパネル３１２上へ集計結果を表示する処理に関するフローチャートである。図１６（Ａ）は、段階別のカラーページの集計機能を持たないＭＦＰ１００（旧デバイス）における処理を示す。
【００４４】
まず、ステップＳ１６０１において、アプリケーション２０８は、部門ＩＤ４０１またはユーザー名５０１の認証を行う。具体的には、図４、５で説明した表示を行い、そこでユーザーにより入力された情報に基づき認証を行う。次に、ステップＳ１６０２において、ＭＦＰ１００が集計結果をタッチパネル３１２上へ表示する設定となっているか否かを判定する。具体的には、アプリケーション２０８へ設定されている、図６（Ａ）のチェックボックス６０１が選択されたか否かの結果により判定する。表示しない設定である場合（Ｎｏ）、処理を終了する。一方、表示する設定の場合（Ｙｅｓ）、ステップＳ１６０３に進む。そして、ステップＳ１６０３において、段階別のカラーページの集計機能を持たないＭＦＰ１００（旧デバイス）のタッチパネル３１２上に段階別のカラーページの集計機能を有するＭＦＰ１００（新デバイス）のみの集計結果を表示可能とするか否かを判定する。具体的には、アプリケーション２０８へ設定されている、図６（Ａ）のチェックボックス６０２が選択されたか否かの結果により判定する。設定されている場合（Ｙｅｓ）、ステップＳ１６０４において、管理装置９０１に保持されている段階別のカラーページの集計結果を含む、他のＭＦＰの集計結果を取得する。一方、設定されていない場合（Ｎｏ）、ステップＳ１６０５にて、管理装置９０１に保持されている段階別のカラーページの集計結果を除いた、他のＭＦＰの集計結果を取得する。次に、ステップＳ１６０６において、タッチパネル３１２に図７や図８で示す集計結果を表示する。表示形式の切り替えは、図７のコンボボックス７０１および図８のコンボボックス８０１の選択を切り替えることにより可能となる。次に、ステップＳ１６０７において、特定の条件に合致するジョブ履歴を取得した場合、タッチパネル３１２にジョブ履歴情報を表示する。なお、この処理については、図１７を参照して後述する。
【００４５】
次に、図１６（Ｂ）は、段階別のカラーページの集計機能を有するＭＦＰ１００（新デバイス）における処理を示す。ステップＳ１６１１およびステップＳ１６１２は、図１６（Ａ）に示すステップＳ１６０１およびステップＳ１６０２と同様であるため、その説明を省略する。
【００４６】
次に、ステップＳ１６１３において、集計結果の表示形式を、図７に示すような段階別のカラーページの集計結果を表示しない形式に合わせるように設定されているか否かを判定する。すなわち、集計結果の表示形式を段階別のカラーページの集計機能を持たないＭＦＰ１００（旧デバイス）の表示形式に合わせるか否かを判定する。具体的には、アプリケーション２０８へ設定されている、図６（Ａ）のチェックボックス６０３が選択されたか否かの結果により判定する。設定されている場合（Ｙｅｓ）、ステップＳ１６１４において、管理装置９０１に保持されている段階別のカラーページの集計結果を除いた、他のＭＦＰの集計結果を取得する。一方、設定されていない場合（Ｎｏ）、ステップＳ１６１５において、管理装置９０１に保持されている段階別のカラーページの集計結果を含む、他のＭＦＰの集計結果を取得する。次に、ステップＳ１６１６にてタッチパネルに３１２に図７や図８で示す集計結果を表示する。表示形式の切り替えは、図７のコンボボックス７０１および図８のコンボボックス８０１の選択を切り替えることにより可能となる。次に、ステップＳ１６１７において、特定の条件に合致するジョブ履歴を取得した場合、タッチパネル３１２にジョブ履歴情報を表示する。なお、この処理については、図１７を参照して後述する。
【００４７】
＜タッチパネルへのジョブ履歴一覧表示処理＞
図１７は、ステップＳ１６０７またはステップＳ１６１７のカラー印刷のジョブ履歴を表示する処理を示すフローチャートである。まず、ステップＳ１６２１において、図１６（Ａ）のステップＳ１６０１（またはステップＳ１６１１）の認証処理で取得した部門ＩＤ４０１またはユーザー名５０１が、ＭＦＰ１００の管理者権限（所定の権限）を有するか否かを判定する。部門ＩＤ４０１またはユーザー名５０１が管理者権限を有する場合（Ｙｅｓ）、ステップＳ１６２２において、前回ＭＦＰ１００にログインした以降の全ユーザーの印刷のジョブ履歴をジョブ履歴管理部２０４に確認する。本実施形態では、前回ＭＦＰ１００にログインした以降に追加されたジョブ履歴のうち、ハイカラー（特定段階でのカラー）で印刷されたジョブ履歴を確認する。なお、前回ログインした時刻は、ＨＤ部１００６に記録されており、アプリケーション２０８は、ＨＤ部１００６を参照する。
【００４８】
次に、ステップＳ１６２３において、ステップＳ１６２２で確認したジョブ履歴にハイカラー印刷のジョブ履歴が存在するか否かを判定する。ハイカラーのジョブ履歴が存在する場合は（Ｙｅｓ）、ステップＳ１６２４において、タッチパネル３１２に、後述する図１８（Ａ）に示すジョブ履歴画面１７０１を表示する。一方、ハイカラーのジョブ履歴が存在しない場合（Ｎｏ）は、処理を終了する。そして、ステップＳ１６２５において、ジョブ履歴画面１７０１上のＯＫボタン１７０３が押下されたか否かを判定する。ＯＫボタン１７０３が押下された場合（Ｙｅｓ）、ステップＳ１６３０において、ジョブ履歴画面１７０１を閉じて処理を終了する。一方、ＯＫボタン１７０３が押下されていない場合（Ｎｏ）、ステップＳ１６２４に戻って、ＯＫボタン１７０３が押下されるまで、ジョブ履歴画面１７０１を表示する。
【００４９】
一方、ステップＳ１６２１で部門ＩＤ４０１またはユーザー名５０１が管理者権限を有していない場合（Ｎｏ）、ステップＳ１６２６において、ログインユーザー（または部門）の印刷のジョブ履歴を確認する。本実施形態では、ログインユーザー（または部門）のハイカラー印刷のジョブ履歴を確認する。具体的には、ログインユーザー（または部門）が、前回ＭＦＰ１００へログインした時点でのハイカラーの印刷ページ数が「０」で、かつ前回ログインした以降にハイカラーの印刷のジョブ履歴を確認する。ここで、図１４に示すーザー集計テーブルを例に説明すると、集計結果１４２４に示すユーザー名「ｏｄａ」は、ハイカラー１４０９に示されるハイカラー印刷が「０」ページであることを示す。また、ユーザーがログインする度にＨＤ部１００６内のハイカラー１４０９とは別の領域（不図示）にユーザー毎の集計テーブルを記録する。
【００５０】
次に、ステップＳ１６２７において、ステップＳ１２０６で確認したジョブ履歴にハイカラー印刷のジョブ履歴が存在するか否かを判定する。具体的には、ハイカラー１４０９と、ユーザーがログインする度に記録（更新）するハイカラー１４０９とは別の領域（不図示）に記録されるユーザー毎の集計テーブルを比較する。なお、ジョブ履歴にハイカラー印刷のジョブ履歴が存在する場合には、対象ユーザーが前回ログインした以降に行ったハイカラー印刷のページ数に応じて、ハイカラー１４０９に「１」以上のページ数が更新される。
【００５１】
そして、ステップＳ１６２７でハイカラー印刷のジョブ履歴が存在する場合（Ｙｅｓ）、ステップＳ１６２８において、タッチパネル３１２に後述の図１８（Ｂ）に示すジョブ履歴画面１７１１を表示する。すなわち、管理者権限を有していない一般ユーザーが初めてハイカラー印刷を行った場合、履歴画面１７１１を表示する。一方、ハイカラー印刷のジョブ履歴が存在しない場合（Ｎｏ）、処理を終了する。そして、ステップＳ１６２９においてジョブ履歴画面１７１１上のＯＫボタン１７０３が押下されたか否かを判定する。ＯＫボタン１７０３が押下された場合（Ｙｅｓ）、ステップＳ１６３０において、ジョブ履歴画面１７１１を閉じて処理を終了する。一方、ＯＫボタン１７０３が押下されていない場合（Ｎｏ）、ステップＳ１６２８に戻って、ＯＫボタン１７０３が押下されるまで、ジョブ履歴画面１７１１を表示する。
【００５２】
図１８（Ａ）は、管理者権限を有するユーザー（または部門）がログインした場合の、ハイカラーで印刷されたジョブの一覧を示すジョブ履歴一覧画面の一例を示す図である。本実施形態では、ジョブ履歴一覧画面１７０１は、集計画面８００上にポップアップ表示される。ジョブ履歴一覧表１７０２は、ジョブ完了日時、ジョブ名、実行ユーザー名、ジョブタイプ、ジョブの全体のページ数のうちのハイカラーのページ数を表示する。そして、ＯＫボタン１７０３を押下することにより、ジョブ履歴一覧画面１７０１が閉じられ、集計画面８００に戻る。
【００５３】
なお、本実施形態では、ハイカラーの印刷について説明したが、段階別カラーにおける他の段階（例えば、ミッドカラーやローカラー）の印刷であっても、適用可能である。また、ミッドカラーとハイカラーのような複数の段階の印刷を合わせた場合の印刷であっても適用可能である。以上のように、管理者がＭＦＰ１００へログインする毎に、段階別の印刷のジョブ履歴一覧を表示することで、どのユーザーがどのようなカラー印刷を行っているか、その利用状況を容易に確認することが可能となる。
【００５４】
図１８（Ｂ）は、管理者権限を有してないユーザー（または部門）が前回ＭＦＰ１００へログインした時点でハイカラーの印刷ページ数が「０」で、かつ前回ログインした以降にハイカラーの印刷が行われた場合のジョブ履歴一覧画面の一例を示す図である。本実施形態では、ジョブ履歴一覧画面１７１１は、集計画面８００上にポップアップ表示される。ジョブ履歴一覧表１７１２は、ジョブ完了日時、ジョブ名、実行ユーザー名、ジョブタイプ、ジョブの全体のページ数のうちのハイカラーのページ数を表示する。そして、ＯＫボタン１７０３を押下することにより、ジョブ履歴一覧画面１７０１が閉じられ、集計画面８００に戻る。従って、一般ユーザーが初めてハイカラー印刷を行った場合に、どのジョブの何ページ分がハイカラー印刷したページ数であるかを確認することが可能となる。
【００５５】
＜コピー直後のタッチパネルへのジョブ履歴一覧表示処理＞
図１９は、コピー機能の実行直後にジョブ履歴を表示する処理を示すフローチャートである。まず、ステップＳ１８０１において、コピー機能が実行されると、アプリケーション２０８は、ＡＰＩ−２（２０６）を介してコピーのジョブ完了通知を受信する。次に、ステップＳ１８０２において、ジョブ履歴管理部２０４は、ジョブ履歴の情報を取得する。そして、ステップＳ１８０３において、ステップＳ１８０２で取得したジョブ履歴が、ハイカラーで印刷されたジョブ履歴か否かを判定する。
【００５６】
そして、取得したジョブ履歴が、ハイカラーで印刷されたジョブ履歴である場合（Ｙｅｓ）、ステップＳ１８０４において、タッチパネル３１２に、後述の図２０に示すジョブ履歴画面１９０１を表示する。一方、取得したジョブ履歴がハイカラーで印刷されたジョブ履歴でない場合（Ｎｏ）、処理を終了する。次に、ステップＳ１８０５において、ジョブ履歴画面１９０１上のＯＫボタン１９０３が押下されたか否かを判定する。ＯＫボタン１９０３が押下された場合（Ｙｅｓ）、ステップＳ１８０６において、ジョブ履歴画面１９０１を閉じて処理を終了する。一方、ＯＫボタン１９０３が押下されていない場合（Ｎｏ）、ＯＫボタン１９０３が押下されるまで、ジョブ履歴画面１９０１を表示する。なお、本実施形態では、コピージョブを例にして説明したが、コピー以外のＭＦＰ１００の機能のうち、タッチパネル３１２上で実行可能な全てのジョブに適用可能である。
【００５７】
図２０は、コピージョブがハイカラー印刷ジョブである場合に表示するジョブ履歴画面の一例を示す図である。ジョブ履歴一覧画面１９０１は、直前に実行したジョブがハイカラーの印刷であった場合に履歴を表示する。ジョブ履歴一覧表１９０２は、ジョブ履歴一覧表であり、ジョブ完了日時、ジョブ名、実行ユーザー名、ジョブタイプ、ジョブの全体のページ数のうちのハイカラーのページ数を表示する。そして、ＯＫボタン１９０３を押下することで、ジョブ履歴一覧画面１９０１が閉じられ、集計画面８００に戻る。
【００５８】
以上、本実施形態によれば、印刷出力履歴の管理方法が異なる画像処理装置が混在する場合においても、各ユーザーに適した、常に節約を意識させるような集計結果を表示する印刷装置を提供することができる。また、管理者は、印刷を実行した直後に、段階別のカラーの印刷ジョブ履歴を表示することで、利用状況を簡単に把握することが可能となる。
【００５９】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６０】
また、本発明の好ましい実施形態について説明したが、本発明は、これらの実施形態に限定されず、その要旨の範囲内で種々の変形および変更が可能である。
【図１】
2015193220.tif 000003
【図２】
2015193220.tif 000004
【図３】
2015193220.tif 000005
【図４】
2015193220.tif 000006
【図５】
2015193220.tif 000007
【図６】
2015193220.tif 000008
【図７】
2015193220.tif 000009
【図８】
2015193220.tif 000010
【図９】
2015193220.tif 000011
【図１０】
2015193220.tif 000012
【図１１】
2015193220.tif 000013
【図１２】
2015193220.tif 000014
【図１３】
2015193220.tif 000015
【図１４】
2015193220.tif 000016
【図１５】
2015193220.tif 000017
【図１６】
2015193220.tif 000018
【図１７】
2015193220.tif 000019
【図１８】
2015193220.tif 000020
【図１９】
2015193220.tif 000021
【図２０】
2015193220.tif 000022